(57)【要約】      （修正有）【課題】迅速な車内の換気と温度調節をより自然かつ安価な方法で行うことができ、さらには運転の障害となる昆虫類の侵入をも防止することができる自動車用網戸窓を提供する。【解決手段】網戸窓１は開閉システム２と連結状態をなして自動車のドア４のガラス窓３より車内側に配置されるものであって、開閉システムの起動により上下移動するものである。網戸窓１は、フレーム、フレーム土台、網上からドア用窓の窓枠内に適合するように一体的に構成したものである。フレームは、金属材等から成り、ドア用窓の窓枠内に適合するために上部側に穏やかな傾斜を形成している。フレーム土台は、フレームの下部側の横方向に配置する金属材から成る板体である。このフレーム土台は、網戸窓１の強度向上を担うと共に、開閉システムと連結するための固体穴を一端側に開孔している。網戸は、フレームの内側に着脱自在に配置されている。【選択図】図４
2008045397.tif 000002
【特許請求の範囲】
【請求項１】
ガラス窓を上下動させて開閉させる自動車の窓に取り付けられるものであっ            て、該ガラス窓に沿って上下に平行移動するフレームと、該フレームに取り            付けた網戸とから成ることを特徴とした自動車用網戸窓。
【請求項２】
ガラス窓の昇降と関連して、又は個別に上下動させる開閉システムを備えた            ことを特徴とする請求項1記載の自動車用網戸窓。
【請求項３】
網戸をガラス窓より車内側に配置したことを特徴とする請求項1，又は2記            載の自動車用網戸窓。
【請求項４】
網戸をフレームから着脱自在としたことを特徴とする請求項１，２、又は3            記載の自動車用網戸窓。
【発明の詳細な説明】
【技術分野】
【０００１】
本発明は、ガラス窓を上下動させて開閉させる自動車の窓に取り付けられる          網戸窓であって，既存のガラス窓に沿って個別に設けてそれぞれ独立して作動          させる自動車用網戸窓に関する。
【背景技術】
【０００２】
自動車のドアに取り付けられたガラス窓には、透過性のガラス板を固着させ          て開閉を行わない所謂嵌め殺し窓の他に、ドア内や車両の内部を上下に移動す          る窓枠に、透過ガラス板を取り付けて上下に平行移動をさせる窓開閉システム          によって、車内換気や車内温度の調整等を図る構成が採られている。
これらの開閉システムは手動や電動によって窓を開閉させるものである。
【発明の開示】
【発明が解決しようとする課題】
【０００３】
自動車の窓は一般に透光性のガラス板で構成されているため、特に、夏場の          炎天下での駐車や走行においては、車内温度が外気温に比べてかなりの高温と          なっていた。これを解消するため、エアコンを強力に作動させて車内の温度を          下げるか、又はガラス窓を開けて外気を導入して早速に車内温度を下げる方法          が選択されていた。
【０００４】
しかし、窓ガラスの全開放は、急速な外気導入には適しているが、同時に風          にのって大小雑多な昆虫類の侵入を許すことになり、時には運転の障害になる          こともあった。
また、ガラス窓を開放せずにかなりの高温になった車内温度を、エアコンのみ          で低下させようとすると、強力に作動したエアコンには過大な付加を長時間掛          かることになり、機器類の消耗とエンジン回転数上昇による燃費の悪化を招く          結果となっていた。
【０００５】
そこで、本願発明は、上記の問題点の解決を目的として為されたものであり          、迅速な車内の換気と温度調節をより自然かつ安価な方法で行うことができ、          さらには運転の障害となる昆虫類の侵入をも防止することができる自動車用網          戸窓を提供するものである。
【課題を解決するための手段】
【０００６】
本発明にかかる自動車用網戸窓（以下，「網戸窓」と略称する。）は、上記課        題を解決するために以下のように構成している。
すなわち、網戸窓を該ガラス窓に沿って上下に平行移動するフレームと、該フレ        ームに取り付けた網戸（メッシュ）とから構成したことを特徴としている。
【０００７】
また、この網戸窓は、ガラス窓の昇降と関連して、又は個別に上下動させる開        閉システムを備えたことを特徴としている。この開閉システムの駆動源は、主に        ガラス窓と同様の電動モーターによるものである。
【０００８】
さらに、網戸は、既存のガラス窓より車内側に配置しており、ガラス窓、網戸        窓の言わば二重構造を為すと共に、フレームから着脱自在に構成したことを特徴        としている。なお、網戸は金属性とし、車内から外の視界に支障のない程度の網        目サイズとするのが望ましく、色彩も特に限定するものではない。
【発明の効果】
【０００９】
本発明の網戸窓は、以上のように構成しているため、自然かつ安価に網戸から        空気の流動を可能としている。このため、季節やその時の天候状態を勘案して網        戸窓を閉めてガラス窓のみを開放すれば、車内の温度調整、車内に直接的に入る        風の調整はもちろんのこと、昆虫類の侵入防止にも寄与するものである。
また、エアコンを強力に作動させることやその使用時間を少なくすることが可能        なため、エンジンの負担軽減及び燃費の向上も期待でき、経済的である。
以上より、夏場、野外にオートキャンプに出掛けた場合でも、ガラス窓のみを開        放すれば、車内の温度が適宜に調整でき、さらには車内への昆虫類の侵入も防止        でき、より快適なカーライフの利用に寄与することとなる。
【発明を実施するための最良の形態】
【００１０】
次に、本発明にかかる網戸窓１の実施形態例について、図面に基づき以下に詳        細に説明する。
【００１１】
図１は本実施例の網戸窓と開閉システムとの連結状態を示す平面図である。図        ２は本実施例の網戸窓を示す平面図であり、図３は本実施例の開閉システムを示        す平面図であり、図4は本実施例の網戸窓のドアへの配置状態を示す斜視図であ        る。
【００１２】
なお、以下に開示するものは、本発明の実施に於いて，最良の形態であるがこ        の形態に限定するものではない。また、図面中に付した記号は説明の便宜のため        であり、限定的に解するものではない。
【００１３】
本発明にかかる網戸窓１は開閉システム２と連結状態をなして自動車のドア4        のガラス窓３より車内側に配置されるものであって、開閉システム２の起動によ        り上下移動するものである。
【００１４】
網戸窓１は、フレーム１１、フレーム土台12、網戸１３からドア用窓の窓枠内        に適合するように一体的に構成したものである。
フレーム１１は、金属材等から成り、ドア用窓の窓枠内に適合するために上部側        に緩やかな傾斜を形成している。
フレーム土台１２は、フレーム１１の下部側の横方向に配置する金属材から成        る板体である。このフレーム土台１２は、網戸窓１の強度向上を担うと共に、開        発システム２と連結するための固定穴１２ａを一端側に開孔している。
網戸１３は、外見上は一般家庭の窓枠等に配置される網戸と同様のものであり、
フレーム１１に内側に着脱自在に配置されている。
この網戸３の網目サイズは1mm程度を目安としているため、車内側から運転に        支障が無い程度の視界を確保している。この網戸１３のその材質は強度保持及び        耐久性向上のために金属材、例えば鉄材を採用しているが、色彩的には特に限定        しているものではない。
【００１５】
図符号２は、開閉システムである。この開閉システム２は上下方向に長い矩形        帯状の台座21に沿って網戸窓１に連結した金具２２をモーター駆動により上下移        動させるものである。
金具２２は、一方の横方向に張り出してボルト等を介して網戸窓１に連結するネ        ジ穴２２ａを形成し、逆側を台座２１の上部と下部に配置した歯車２３に張り渡        したワイヤー２４に接続している。前記ワイヤー２４の金具２２が接続しない側        は、台座２１からはみ出した位置に配置した回転駆動歯車２５に巻きついてる。        回転駆動歯車２５はスイッチ２７により起動して回転するモーター２６に接続し        てる。
また、台座２１の上下に配置した各歯車２３、２３の内側には、ブロック状のス        トッパー２１ａを配置し、金具２２の台座２１からの逸脱を防止している。
【００１６】
以上のように構成した網戸窓１は、図４に示すように、ドア４のガラス窓３の        内側（車内側）に専用の枠溝を持って配置され、言わば、ガラス窓３と網戸窓１        の二重構造を為す。そして、開閉システム２の起動によりガラス窓３とは平行状        態をもって個別にスムーズに上下動する。なお、網戸窓１はガラス窓３の昇降と        連動して開閉するように構成しても良い。
また、網戸窓１と開閉システム２との連結部を取り外せば、破損した場合等に        簡単に網戸窓１のみの交換が可能であり、さらには上述したように網戸１３のみ        の交換も可能としている。さらに、車種別にフレーム１１、網戸１３を規格統一        すればより交換の作業性がより向上する。
【産業上の利用可能性】
【００１７】
本発明にかかる網戸窓を製造し普及させることは、企業の発展や活性化に貢          献するだけでなく、より向上したカーライフの確保と快適な車社会の提供に資          するものである。
【図面の簡単な説明】
【００１８】
【図１】本実施例の網戸窓と開閉システムとの連結状態を示す平面図である。
【図２】本実施例の網戸窓を示す平面図である。
【図３】本実施例の開閉システムを示す平面図である。
【図４】本実施例の網戸窓のドアへの配置状態を示す斜視図である。
【符号の説明】
【００１９】
１    網戸窓
１１    フレーム
１２    フレーム土台
１２ａ  固定穴
１３      網戸
２    開閉システム
２１    台座
２１ａ  ストッパー
２２    金具
２２ａ  ネジ穴
２３    歯車
２４    ワイヤー
２５    駆動歯車
２６    モーター
２７    スイッチ
３    ガラス窓
４    ドア
【図１】
2008045397.tif 000003
【図２】
2008045397.tif 000004
【図３】
2008045397.tif 000005
【図４】
2008045397.tif 000006